(57)【特許請求の範囲】
【請求項１】
四角状の正面枠体１と四角状の後面枠体２の両側に両側面枠体３，３を設けたものに於いて、正面枠体１と後面枠体２とは同一形状で、上下に平行した上横長杆４と下横長杆５を設け、上横長杆４の両端に９０度折曲すると共に先端に挿通孔６を形成した上折曲杆部７，７を設け、下横長杆５の両端に上折曲杆部７，７と同方向に折曲すると共に先端に下方に折曲した挿入係止片８，８を備えた下折曲杆部９，９を設けたものであり、更に両側の両側面枠体３，３は同一形状で、上下に平行した上横杆１０と下横杆１１を設け、上横杆１０の両側に挿通孔６，６に対応した挿通横長孔１２，１２を設け、下長杆１３の両端に挿入係止片８，８を挿入係止する係止孔１４，１４を設けると共に脚片１５，１５を下方に突設して形成したものであり、又更に一対の相対した両側面枠体３，３の係止孔１４，１４，１４，１４に正面枠体１と後面枠体２に設けた挿入係止片８，８，８，８を挿入し、且又一対の相対した両側面枠体３，３の挿通横長孔１２，１２，１２，１２と正面枠体１と後面枠体２に設けた挿通孔６，６，６，６にボルト杆１６，１６，１６，１６を挿入すると共に該ボルト杆１６，１６，１６，１６に蝶ナット１７，１７，１７，１７を螺合し締付けて正面枠体１と後面枠体２の両側に両側面枠体３，３を取付けたことを特徴とするストーブ用ガード。
【発明の詳細な説明】
【０００１】
【産業上の利用分野】
この発明は石油ストーブの囲いとして好適なストーブ用ガードに関するものである。
【０００２】
【従来の技術】
従来ストーブ用ガードで四角状の正面枠体と四角状の後面枠体の両側に両側面枠体を設けたものに於いて正面枠体と後面枠体と両側面枠体とを連結具を介して取付けたものは知られている。
【０００３】
【発明が解決しようとする問題点】
ところで、従来のストーブ用ガードで四角状の正面枠体と四角状の後面枠体の両側に両側面枠体を設けたものに於いて正面枠体と後面枠体と両側面枠体とを連結具を介して取付けたものは、構造が複雑で組み立てが面倒であると共に簡単に組み立て分解が出来ず、その取り扱いが不便であるなどの欠点があった。
【０００４】
この発明は上記の問題点を解決したものであつて、構造が簡単で工具等を用いる複雑な操作を必要とせず組み立てが容易であると共に簡便に分解が出来るもので、使い勝手が良く、使用便利なストーブ用ガードを得ることを目的としたものである。
【０００５】
【問題点を解決するための手段】
上記の目的を達成するためにこの発明は、四角状の正面枠体１と四角状の後面枠体２の両側に両側面枠体３，３を設けたものに於いて、正面枠体１と後面枠体２とは同一形状で、上下に平行した上横長杆４と下横長杆５を設け、上横長杆４の両端に９０度折曲すると共に先端に挿通孔６を形成した上折曲杆部７，７を設け、下横長杆５の両端に上折曲杆部７，７と同方向に折曲すると共に先端に下方に折曲した挿入係止片８，８を備えた下折曲杆部９，９を設けたものであり、更に両側の両側面枠体３，３は同一形状で、上下に平行した上横杆１０と下横杆１１を設け、上横杆１０の両側に挿通孔６，６に対応した挿通横長孔１２，１２を設け、下長杆１３の両端に挿入係止片８，８を挿入係止する係止孔１４，１４を設けると共に脚片１５，１５を下方に突設して形成したものであり、又更に一対の相対した両側面枠体３，３の係止孔１４，１４，１４，１４に正面枠体１と後面枠体２に設けた挿入係止片８，８，８，８を挿入し、且又一対の相対した両側面枠体３，３の挿通横長孔１２，１２，１２，１２と正面枠体１と後面枠体２に設けた挿通孔６，６，６，６にボルト杆１６，１６，１６，１６を挿入すると共に該ボルト杆１６，１６，１６，１６に蝶ナット１７，１７，１７，１７を螺合し締付けて正面枠体１と後面枠体２の両側に両側面枠体３，３を取付けたものである。
【０００６】
【実施例】
以下図面についてこの発明の実施例を説明すると、四角状の正面枠体１と四角状の後面枠体２の両側に両側面枠体３，３を設けたものである（図１参照）。
【０００７】
又四角状の正面枠体１と四角状の後面枠体２と両側面枠体３，３とは四個に分解出来るものである（図２参照）。
【０００８】
正面枠体１と後面枠体２とは同一形状に形成したもので、その正面枠体１と後面枠体２には、上下に平行した上横長杆４と下横長杆５を設けたものである（図１、図２参照）。
【０００９】
上横長杆４の両端に９０度折曲すると共に先端に挿通孔６を形成した上折曲杆部７，７を設けたものである（図２、図３、図４、図５参照）。
【００１０】
下横長杆５の両端に上折曲杆部７，７と同方向に折曲すると共に先端に下方に折曲した挿入係止片８，８を備えた下折曲杆部９，９を設けたものである（図６、図７、図８、図９参照）。
【００１１】
正面枠体１と後面枠体２との両側に取付ける両側面枠体３，３は同一形状に形成したもので、その上下に平行した上横杆１０と下横杆１１を設けると共に上部に把持部１８を有し、両端下部に脚片１５，１５を下方に突設した逆Ｕ字状杆１９，１９を設けたものである（図１、図２参照）。
【００１２】
上横杆１０の両側に挿通孔６，６に対応した挿通横長孔１２，１２を設けたものである（図３、図４、図５参照）。
【００１３】
下長杆１３の両端に挿入係止片８，８を挿入係止する係止孔１４，１４を設けたものである（図６、図７、図８、図９参照）。
【００１４】
更に一対の相対した両側面枠体３，３の係止孔１４，１４，１４，１４に正面枠体１と後面枠体２に設けた挿入係止片８，８，８，８を挿入するものである  （図１、図７、図９参照）。
【００１５】
又一対の相対した両側面枠体３，３の挿通横長孔１２，１２，１２，１２と正面枠体１と後面枠体２に設けた挿通孔６，６，６，６にボルト杆１６，１６，１６，１６を挿入すると共に該ボルト杆１６，１６，１６，１６に蝶ナット１７，１７，１７，１７を螺合し締付けて正面枠体１と後面枠体２の両側に両側面枠体３，３を取付けたものである（図１、図２、図３、図４、図５参照）。
【００１６】
正面枠体１と後面枠体２と両側面枠体３，３にはろう着けなどによって多数の平行縦杆２０，２０・・・を設けているものである（図１参照）。
【００１７】
正面枠体１には上下に昇降して前面口２１を開閉する開閉枠部２２を設けているものである（図１、図１０、図１１参照）。
【００１８】
【発明の作用効果】
この発明は以上のような構成であり、
四角状の正面枠体１と四角状の後面枠体２の両側に両側面枠体３，３を設けたもので、石油ストーブを囲んで安全なストーブ用ガードを得ることがてきるものである。
【００１９】
又夏季等不用の際は四角状の正面枠体１と四角状の後面枠体２と両側面枠体３，３とは四個に分解出来るものであるのでかさ張ることなく保管ができて使用上極めて便利である。
【００２０】
又正面枠体１と後面枠体２とは同一形状に形成したもので安価に提供でき、その正面枠体１と後面枠体２には、上下に平行した上横長杆４と下横長杆５を設けたものであり、更に上横長杆４の両端に９０度折曲すると共に先端に挿通孔６を形成した上折曲杆部７，７を設けたものであり、又更に下横長杆５の両端に上折曲杆部７，７と同方向に折曲すると共に先端に下方に折曲した挿入係止片８，８を備えた下折曲杆部９，９を設けたものである。
【００２１】
又正面枠体１と後面枠体２との両側に取付ける両側面枠体３，３は同一形状に形成したもので安価に提供でき、その上下に平行した上横杆１０と下横杆１１を設けると共に上部に把持部１８を有し、両端下部に脚片１５，１５を下方に突設した逆Ｕ字状杆１９，１９を設けたものであり、更に上横杆１０の両側に挿通孔６，６に対応した挿通横長孔１２，１２を設けたものであり、又さらに下長杆１３の両端に挿入係止片８，８を挿入係止する係止孔１４，１４を設けたものである。
【００２２】
よって、組立てに際しては一対の相対した両側面枠体３，３の係止孔１４，１４，１４，１４に正面枠体１と後面枠体２に設けた挿入係止片８，８，８，８を挿入し、更に一対の相対した両側面枠体３，３の挿通横長孔１２，１２，１２，１２と正面枠体１と後面枠体２に設けた挿通孔６，６，６，６にボルト杆１６，１６，１６，１６を挿入すると共に該ボルト杆１６，１６，１６，１６に蝶ナット１７，１７，１７，１７を指先で摘んで回し螺合し締付けて正面枠体１と後面枠体２の両側に両側面枠体３，３を取付けることで、別途ドライバー等の工具を使用することなく極めて簡単に組立てることができるものである。
【００２３】
又分解に際しては蝶ナット１７，１７，１７，１７を指先で摘んで回し緩めてボルト杆１６，１６，１６，１６より外し、更にボルト杆１６，１６，１６，１６を挿通横長孔１２，１２，１２，１２と挿通孔６，６，６，６より外し、又更に挿入係止片８，８，８，８を係止孔１４，１４，１４，１４より外すことによつて分解が簡単にできるもので取扱いが極めて好都合である。
【００２４】
又構造が簡単で大量生産に適し安価に提供できる等の幾多の産業的効果を奏するものである。
【図面の簡単な説明】
【図１】斜視図である。
【図２】分解斜視図である。
【図３】挿通孔と挿通横長孔との分離状態を示した一部切欠正面図である。
【図４】挿通孔と挿通横長孔との分離状態を示した一部切欠背面図である。
【図５】挿通孔と挿通横長孔との結合状態を示した一部切欠正面図である。
【図６】挿入係止片と係止孔との分離状態を示した一部切欠正面図である。
【図７】挿入係止片と係止孔との結合状態を示した一部切欠正面図である。
【図８】挿入係止片と係止孔との分離状態を示した一部切欠背面図である。
【図９】挿入係止片と係止孔との結合状態を示した一部切欠背面図である。
【図１０】正面枠体の開閉枠部を上げて前面口を開口した状態を示した一部切欠斜視図である。
【図１１】正面枠体の開閉枠部をやや上げて前面口の一部を開口した状態を示した一部切欠斜視図である。
【符号の説明】
１  正面枠体
２  後面枠体
３  両側面枠体
４  上横長杆
５  下横長杆
６  挿通孔
７  上折曲杆部
８  挿入係止片
９  下折曲杆部
１０  上横杆
１１  下横杆
１２  挿通横長孔
１３  下長杆
１４  係止孔
１５  脚片
１６  ボルト杆
１７  蝶ナット
１８  把持部
１９  逆Ｕ字状杆
２０  平行縦杆
２１  前面口
２２  開閉枠部
【図１】
0003576729.tif 000002
【図２】
0003576729.tif 000003
【図３】
0003576729.tif 000004
【図４】
0003576729.tif 000005
【図５】
0003576729.tif 000006
【図６】
0003576729.tif 000007
【図７】
0003576729.tif 000008
【図８】
0003576729.tif 000009
【図９】
0003576729.tif 000010
【図１０】
0003576729.tif 000011
【図１１】
0003576729.tif 000012